(57)【要約】【課題】省電力モードを簡易に解除することを可能とする投写型映像表示装置を提供する。【解決手段】投写型映像表示装置１００は、特定領域において光を遮光する物体を検出する検出部３２０と、所定条件が満たされた場合に、動作モードを省電力モードに移行するモード制御部３４０とを備える。モード制御部３４０は、省電力モードにおいて、特定領域において光を遮光する物体の検出に応じて、動作モードを通常電力モードに移行する。【選択図】図６
2011197645.tif 000002
【特許請求の範囲】
【請求項１】
光源から出射される光を変調する光変調素子と、前記光変調素子から出射される光を投写面上に投写する投写光学系とを備える投写型映像表示装置であって、
前記投写面上に設定された特定領域において光を遮光する物体を検出する検出部と、
所定条件が満たされた場合に、動作モードを省電力モードに移行するモード制御部とを備え、
前記モード制御部は、前記省電力モードにおいて、前記特定領域において光を遮光する物体の検出に応じて、動作モードを通常電力モードに移行することを特徴とする投写型映像表示装置。
【請求項２】
前記光源を制御する光源制御部をさらに備え、
前記光源制御部は、前記省電力モードにおいて、前記通常電力モードと比べて、前記光源に供給すべき電力を減少することを特徴とする請求項１に記載の投写型映像表示装置。
【請求項３】
前記光源を制御する光源制御部をさらに備え、
前記光源制御部は、前記省電力モードにおいて、前記通常電力モードと比べて、１フレーム内において前記光源が発光する期間を減少することを特徴とする請求項１に記載の投写型映像表示装置。
【請求項４】
前記光変調素子を制御する素子制御部をさらに備え、
前記光変調素子は、複数の微小ミラーが電圧の印加によって駆動する反射型素子であり、
前記素子制御部は、前記省電力モードにおいて、前記複数の微小ミラーのうち、少なくとも１つの微小ミラーに電圧を印加せずに、他の微小ミラーに電圧を印加することを特徴とする請求項１に記載の投写型映像表示装置。
【請求項５】
前記モード制御部は、前記省電力モードにおいて、装置本体に設けられる操作部の操作に応じて、動作モードを前記通常電力モードに移行することを特徴とする請求項１に記載の投写型映像表示装置。
【請求項６】
前記光源を制御する光源制御部と、
前記光源から出射される光以外の外光の光量を検出する外光検出部とをさらに備え、
前記光源制御部は、前記外光検出部によって検出された外光の光量に基づいて、前記光源に供給すべき電力を制御することを特徴とする請求項１に記載の投写型映像表示装置。
【請求項７】
前記光源を制御する光源制御部と、
前記光源から出射される光以外の外光の光量を検出する外光検出部とをさらに備え、
前記素子制御部及び前記光源制御部の少なくとも一方は、前記外光検出部によって検出された外光の光量に基づいて、前記投写面に投写される映像の彩度又は輝度を強調することを特徴とする請求項１に記載の投写型映像表示装置。
【請求項８】
前記光源を制御する光源制御部と、
前記投写面で反射される光を検出する反射光検出部とをさらに備え、
前記素子制御部及び前記光源制御部の少なくとも一方は、前記反射光検出部によって検出された光に基づいて、前記投写面に投写される映像の色味又は光量を最適化することを特徴とする請求項１に記載の投写型映像表示装置。
【請求項９】
前記光源を制御する光源制御部と、
前記投写面に投写される映像のサイズを検出するサイズ検出部とをさらに備え、
前記光源制御部は、前記サイズ検出部によって検出された映像のサイズに基づいて、前記光源に供給すべき電力を制御することを特徴とする請求項１に記載の投写型映像表示装置。
【発明の詳細な説明】
【技術分野】
【０００１】
本発明は、光源から出射される光を変調する光変調素子と、光変調素子から出射される光を投写面上に投写する投写光学系とを備える投写型映像表示装置に関する。
【背景技術】
【０００２】
従来、光源から出射される光を変調する光変調素子と、光変調素子から出射される光を投写面上に投写する投写光学系とを備える投写型映像表示装置が知られている。
【０００３】
ところで、携帯電話などのように、ディスプレイを有する機器において、省電力化を図る技術が提案されている（例えば、特許文献１）。具体的には、携帯電話などの機器は、省電力モードを有しており、省電力モードにおいて、ディスプレイの階調や駆動電圧を減少することによって、省電力化が図られる。
【先行技術文献】
【特許文献】
【０００４】
【特許文献１】特開２００１−３４５９２８号公報
【発明の概要】
【発明が解決しようとする課題】
【０００５】
上述したような携帯電話などの機器では、省電力モードは、機器本体に設けられる操作部（ボタンなど）の操作によって解除される。
【０００６】
しかしながら、投写型映像表示装置では、携帯電話などの機器と比べて、装置本体に設けられる操作部（ボタンなど）が操作される機会が少ない。従って、普段は操作されない操作部（ボタンなど）によって、省電力モードを解除する操作は、ユーザにとって分かりにくかった。
【０００７】
そこで、本発明は、上述した課題を解決するためになされたものであり、省電力モードを簡易に解除することを可能とする投写型映像表示装置を提供することを目的とする。
【課題を解決するための手段】
【０００８】
第１の特徴に係る投写型映像表示装置は、光源（光源１０）から出射される光を変調する光変調素子（DMD７０）と、前記光変調素子から出射される光を投写面上に投写する投写光学系（投写光学系１１０）とを備える。投写型映像表示装置は、前記投写面上に設定された特定領域において光を遮光する物体を検出する検出部（検出部３２０）と、所定条件が満たされた場合に、動作モードを省電力モードに移行するモード制御部（モード制御部３４０）とを備える。前記モード制御部は、前記省電力モードにおいて、前記特定領域において光を遮光する物体の検出に応じて、動作モードを通常電力モードに移行する。
【０００９】
第１の特徴において、投写型映像表示装置は、前記光源を制御する光源制御部（光源制御部３５０）をさらに備える。前記光源制御部は、前記省電力モードにおいて、前記通常電力モードと比べて、前記光源に供給すべき電力を減少する。
【００１０】
第１の特徴において、投写型映像表示装置は、前記光源を制御する光源制御部（光源制御部３５０）をさらに備える。前記光源制御部は、前記省電力モードにおいて、前記通常電力モードと比べて、１フレーム内において前記光源が発光する期間を減少する。
【００１１】
第１の特徴において、投写型映像表示装置は、前記光変調素子を制御する素子制御部（素子制御部３６０）をさらに備える。前記光変調素子は、複数の微小ミラーが電圧の印加によって駆動する反射型素子である。前記素子制御部は、前記省電力モードにおいて、前記複数の微小ミラーのうち、少なくとも１つの微小ミラーに電圧を印加せずに、他の微小ミラーに電圧を印加する。
【００１２】
第１の特徴において、前記モード制御部は、前記省電力モードにおいて、装置本体に設けられる操作部の操作に応じて、動作モードを前記通常電力モードに移行する。
【００１３】
第１の特徴において、投写型映像表示装置は、前記光源を制御する光源制御部（光源制御部３５０）と、前記光源から出射される光以外の外光の光量を検出する外光検出部（外光検出部３７０）とをさらに備える。前記光源制御部は、前記外光検出部によって検出された外光の光量に基づいて、前記光源に供給すべき電力を制御する。
【００１４】
第１の特徴において、投写型映像表示装置は、前記光源を制御する光源制御部（光源制御部３５０）と、前記光源から出射される光以外の外光の光量を検出する外光検出部（外光検出部３７０）とをさらに備える。前記素子制御部及び前記光源制御部の少なくとも一方は、前記外光検出部によって検出された外光の光量に基づいて、前記投写面に投写される映像の彩度又は輝度を強調する。
【００１５】
第１の特徴において、投写型映像表示装置は、前記光源を制御する光源制御部（光源制御部３５０）と、前記投写面で反射される光を検出する反射光検出部とをさらに備える。前記素子制御部及び前記光源制御部の少なくとも一方は、前記反射光検出部によって検出された光に基づいて、前記投写面に投写される映像の色味又は光量を最適化する。
【００１６】
第１の特徴において、投写型映像表示装置は、前記光源を制御する光源制御部（光源制御部３５０）と、前記投写面に投写される映像のサイズを検出するサイズ検出部とをさらに備える。前記光源制御部は、前記サイズ検出部によって検出された映像のサイズに基づいて、前記光源に供給すべき電力を制御する。
【発明の効果】
【００１７】
本発明によれば、省電力モードを簡易に解除することを可能とする投写型映像表示装置を提供することができる。
【図面の簡単な説明】
【００１８】
【図１】図１は、第１実施形態に係る投写型映像表示装置１００の概略構成を示す図である。
【図２】図２は、第１実施形態に係る投写型映像表示装置１００の概略構成を示す図である。
【図３】図３は、第１実施形態に係る投写型映像表示装置１００の光学構成を説明するための図である。
【図４】図４は、第１実施形態に係る第１筐体２００Ａのスライドを説明するための図である。
【図５】図５は、第１実施形態に係る第１筐体２００Ａのスライドを説明するための図である。
【図６】図６は、第１実施形態に係る制御ユニット３００を示すブロック図である。
【図７】図７は、第１実施形態に係る処理内容の実行例を説明するための図である。
【図８】図８は、第１実施形態に係る処理内容の実行例を説明するための図である。
【図９】図９は、第１実施形態に係る省電力モードの解除例を説明するための図である。
【図１０】図１０は、第１実施形態に係る省電力モードの解除例を説明するための図である。
【図１１】図１１は、第１実施形態に係る投写型映像表示装置１００の動作を示すフロー図である。
【図１２】図１２は、変更例１に係る制御ユニット３００を示すブロック図である。
【図１３】図１３は、変更例１に係る表示パターンの一例を示す図である。
【図１４】図１４は、変更例１に係る表示パターンの一例を示す図である。
【図１５】図１５は、変更例１に係る表示パターンの一例を示す図である。
【図１６】図１６は、変更例２に係る彩度強調方法を説明するための図である。
【図１７】図１７は、変更例２に係る輝度強調方法を説明するための図である。
【図１８】図１８は、変更例２に係る輝度強調の一例を示す図である。
【図１９】図１９は、変更例２に係る輝度強調の一例を示す図である。
【図２０】図２０は、変更例２に係る輝度強調の一例を示す図である。
【図２１】図２１は、変更例３に係る表示パターンの一例を示す図である。
【図２２】図２２は、変更例３に係る表示パターンの一例を示す図である。
【発明を実施するための形態】
【００１９】
以下において、本発明の実施形態に係る投写型映像表示装置について、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る投写型映像表示装置は、光源から出射される光を変調する光変調素子と、光変調素子から出射される光を投写面上に投写する投写光学系とを備える。投写型映像表示装置は、投写面上に設定された特定領域において光を遮光する物体を検出する検出部と、所定条件が満たされた場合に、動作モードを省電力モードに移行するモード制御部とを備える。モード制御部は、省電力モードにおいて、特定領域において光を遮光する物体の検出に応じて、動作モードを通常電力モードに移行する。
【００２２】
実施形態では、投写面上に設定された特定領域において光を遮光する物体が検出された場合に、モード制御部は、省電力モードを解除して、動作モードを通常電力モードに移行する。
【００２３】
従って、普段は操作されない操作部（ボタンなど）によって省電力モードを解除する必要がなく、直感的に省電力モードを解除することができる。すなわち、省電力モードを簡易に解除することができる。
【００２４】
［第１実施形態］
（投写型映像表示装置の概略構成）
以下において、第１実施形態に係る投写型映像表示装置の概略構成について、図面を参照しながら説明する。図１は、第１実施形態に係る投写型映像表示装置１００（床面投写）を示す図である。図２は、第１実施形態に係る投写型映像表示装置１００（壁面投写）を示す図である。
【００２５】
図１及び図２に示すように、投写型映像表示装置１００は、筐体２００を有しており、投写面（不図示）に映像を投写する。筐体２００には、後述する投写光学系１１０から出射される光を透過する透過領域２１０が設けられる。
【００２６】
ここで、投写面は、図１に示すように、床面や机上などの水平面に設けられていてもよく、図２に示すように、壁面などの垂直面（例えば、スクリーン）に設けられてもよい。すなわち、投写型映像表示装置１００は、映像光を床面や机上などの水平面に投写するように配置されてもよく、映像光を壁面などの垂直面に投写するように配置されてもよい。
【００２７】
なお、投写型映像表示装置１００のサイズは、２００ｍｌ〜２ｌの容積を有するペットボトル程度である。例えば、投写型映像表示装置１００の容積は、９００ｍｌ程度であり、投写型映像表示装置１００の重量は、８００ｇ程度である。投写型映像表示装置１００によって表示される映像のサイズは、例えば、２０インチ程度である。また、投写型映像表示装置１００と投写面との距離が非常に近いことに留意すべきである。
【００２８】
（投写型映像表示装置の光学構成）
以下において、第１実施形態に係る投写型映像表示装置の光学構成について、図面を参照しながら説明する。図３は、第１実施形態に係る投写型映像表示装置１００の光学構成を主として示す図である。
【００２９】
図３に示すように、投写型映像表示装置１００は、投写光学系１１０と、照明光学系１２０と、冷却ファン１３０と、バッテリ１４０と、電源基板１５０と、主制御基板１６０と、操作基板１７０とを有する。また、投写型映像表示装置１００は、DMD７０と、反射プリズム８０とを有する。
【００３０】
また、筐体２００は、第１筐体２００Ａ及び第２筐体２００Ｂによって構成される。上述した透過領域２１０は、第１筐体２００Ａに設けられる。なお、第１筐体２００Ａの一部又は全部は、後述するように、第２筐体２００Ｂに収容可能に構成される。
【００３１】
投写光学系１１０は、DMD７０から出射された色成分光（映像光）を投写面に投写する。具体的には、投写光学系１１０は、投写レンズ群１１１と、反射ミラー１１２とを有する。
【００３２】
投写レンズ群１１１は、DMD７０から出射された色成分光（映像光）を反射ミラー１１２側に出射する。投写レンズ群１１１は、投写光学系１１０の光軸Ｌを中心とする略円形形状のレンズ、投写光学系１１０の光軸Ｌを中心とする略円形形状の一部分によって構成される形状（例えば、下半分の半円形状）のレンズなどを含む。
【００３３】
なお、投写レンズ群１１１に含まれるレンズの径は、反射ミラー１１２に近いほど大きいことに留意すべきである。
【００３４】
反射ミラー１１２は、投写レンズ群１１１から出射された色成分光（映像光）を反射する。反射ミラー１１２は、映像光を集光した上で、映像光を広角化する。例えば、反射ミラー１１２は、投写レンズ群１１１側に凹面を有する非球面ミラーである。ここで、反射ミラー１１２は、投写光学系１１０の光軸Ｌを中心とする略円形形状の一部分によって構成される形状（例えば、下半分の半円形状）を有する。
【００３５】
反射ミラー１１２で集光された映像光は、筐体２００に設けられた透過領域２１０を透過する。筐体２００に設けられた透過領域２１０は、反射ミラー１１２によって映像光が集光される位置近傍に設けられることが好ましい。
【００３６】
照明光学系１２０は、光源１０と、ダイクロイックプリズム３０と、ロッドインテグレータ４０と、ミラー５１と、ミラー５２と、レンズ６１と、レンズ６２と、レンズ６３とを有する。
【００３７】
光源１０は、複数色の色成分光を個別に出射するように構成される。また、光源１０には、光源１０で生じる熱を放熱するヒートシンクが併設されていてもよい。なお、光源１０は、例えば、光源１０Ｒ、光源１０Ｇ及び光源１０Ｂによって構成される。
【００３８】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンクが併設されてもよい。
【００３９】
光源１０Ｇは、緑成分光Ｇを出射する光源であり、例えば、緑ＬＥＤや緑ＬＤである。光源１０Ｇには、金属などのように放熱性が良好な部材によって構成されるヒートシンクが併設されてもよい。
【００４０】
光源１０Ｂは、青成分光Ｂを出射する光源であり、例えば、青ＬＥＤや青ＬＤである。光源１０Ｂには、金属などのように放熱性が良好な部材によって構成されるヒートシンクが併設されてもよい。
【００４１】
ダイクロイックプリズム３０は、光源１０Ｒから出射される赤成分光Ｒ、光源１０Ｇから出射される緑成分光Ｇ、光源１０Ｂから出射される青成分光Ｂを合成する。
【００４２】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。詳細には、ロッドインテグレータ４０は、光反射側面で色成分光を反射することによって、色成分光を均一化する。なお、ロッドインテグレータ４０は、ガラスなどによって構成される中実ロッドであってもよく、ミラー面によって内面が構成される中空ロッドであってもよい。
【００４３】
例えば、第１実施形態では、ロッドインテグレータ４０は、光源１０から出射される光の進行方向に向けて、光の進行方向に垂直な断面が大きくなるテーパ形状を有する。但し、実施形態は、これに限定されるものではない。ロッドインテグレータ４０は、光源１０から出射される光の進行方向に向けて、光の進行方向に垂直な断面が小さくなる逆テーパ形状を有してもよい。
【００４４】
ミラー５１及びミラー５２は、ロッドインテグレータ４０から出射された光をDMD７０に導くために、光の光路を折り曲げる反射ミラーである。
【００４５】
レンズ６１、レンズ６２及びレンズ６３は、光源１０から出射された色成分光の拡大を抑制しながら、色成分光をDMD７０上に略結像するリレーレンズである。
【００４６】
冷却ファン１３０は、筐体２００の外部に連通しており、筐体２００内の熱を放出するように構成される。或いは、冷却ファン１３０は、筐体２００の外部の空気を筐体２００内に送り込むように構成される。例えば、冷却ファン１３０は、光源１０の近傍に設けられており、光源１０を冷却するように構成される。
【００４７】
バッテリ１４０は、投写型映像表示装置１００に供給すべき電力を蓄積する。
【００４８】
電源基板１５０は、バッテリ１４０に接続されており、ＡＣ電力をＤＣ電力に変換する電力変換回路を有する。
【００４９】
主制御基板１６０は、投写型映像表示装置１００の動作を制御する主制御回路（後述する制御ユニット３００）を有する。
【００５０】
操作基板１７０は、投写型映像表示装置１００に設けられる操作部（ボタンなど）に接続されており、操作部から入力される操作信号を主制御基板１６０（主制御回路）に伝達する。
【００５１】
DMD７０は、複数の微小ミラーによって構成されており、複数の微小ミラーは可動式である。各微小ミラーは、基本的に１画素に相当する。DMD７０は、各微小ミラーの角度を変更することによって、色成分光が有効光として投写光学系１１０側に導かれるように色成分光を反射するか否かを切り替える。
【００５２】
反射プリズム８０は、照明光学系１２０から出射される光をDMD７０側に透過する。一方で、反射プリズム８０は、DMD７０から出射される光を投写光学系１１０側に反射する。
【００５３】
なお、図４及び図５に示すように、第１筐体２００Ａは、第２筐体２００Ｂの内壁に沿ってスライド可能に構成される。反射ミラー１１２は、第１筐体２００Ａのスライドと連動して、回動軸Ｐを中心として回動する。
【００５４】
（制御ユニットの構成）
以下において、第１実施形態に係る制御ユニットについて、図面を参照しながら説明する。図６は、第１実施形態に係る制御ユニット３００を示すブロック図である。制御ユニット３００は、投写型映像表示装置１００に設けられており、投写型映像表示装置１００を制御する。
【００５５】
図６に示すように、制御ユニット３００は、記憶部３１０と、検出部３２０と、指示部３３０と、モード制御部３４０と、光源制御部３５０と、素子制御部３６０とを有する。
【００５６】
記憶部３１０は、投写面上に設けられる特定領域と投写型映像表示装置１００に対する処理内容とを対応付ける情報を記憶する。
【００５７】
ここで、特定領域は、投写型映像表示装置１００（投写光学系１１０）から出射される光が投写される投写領域内に設けられていてもよく、投写領域外に設けられていてもよい。例えば、特定領域は、投写領域の４辺である。或いは、特定領域は、投写領域の４隅である。
【００５８】
ここで、特定領域は、投写領域の内側と投写領域の外側との境界領域（例えば、投写領域の４辺、投写領域の４隅）であることが好ましい。このような境界領域では、輝度の変化が大きいため、特定領域において光を遮光する物体を容易に検出できることに留意すべきである。
【００５９】
また、処理内容は、投写型映像表示装置１００に実行させるべき処理である。例えば、処理内容は、投写型映像表示装置１００の電源ＯＮ／OFFの切り替え、投写領域に投写される映像の回転、投写領域に投写される映像の再生／停止の切り替え、投写型映像表示装置１００に設けられるモードの切り替えなどである。また、処理内容は、例えば、投写領域に投写される映像のページ送り、投写領域に投写される映像のページ戻り、投写型映像表示装置１００の設定（明るさ調整やコントラスト調整）を変更するためのメニュー呼び出しなどである。
【００６０】
検出部３２０は、特定領域において光を遮光する物体（例えば、ユーザの手など）を検出する。具体的には、第１実施形態では、検出部３２０は、特定領域において、投写型映像表示装置１００（投写光学系１１０）から出射される光を遮光する物体を検出することが好ましい。すなわち、特定領域は、投写領域内に設けられることが好ましい。
【００６１】
検出部３２０は、例えば、特定領域における明るさの変化を検出可能に構成された撮像素子である。或いは、検出部３２０は、例えば、特定領域における明るさの変換を検出可能に構成された照度センサであってもよい。照度センサは、特定領域のみをカバーする指向性を有することが好ましい。
【００６２】
指示部３３０は、特定領域において光を遮光する物体の検出時間が一定期間以上である場合に、特定領域と対応付けられる処理内容の実行を指示する。具体的には、投写型映像表示装置１００内で処理が完結する処理内容については、指示部３３０は、投写型映像表示装置１００に設けられる機能ブロック（例えば、電源ブロックなど）に対して、特定領域と対応付けられる処理内容の実行を指示する。或いは、投写型映像表示装置１００内で処理が完結しない処理内容については、他の装置（例えば、投写型映像表示装置１００に接続されたパーソナルコンピュータなど）に対して、特定領域と対応付けられる処理内容の実行を指示する。
【００６３】
モード制御部３４０は、投写型映像表示装置１００の動作モードを制御する。具体的には、動作モードは、通常電力モード、省電力モード又はスタンバイモードである。
【００６４】
通常電力モードは、通常の電力によって、光源１０及びDMD７０が制御されるモードである。
【００６５】
省電力モードは、通常電力モードよりも少ない電力によって、光源１０及びDMD７０の少なくとも一方が制御されるモードである。
【００６６】
スタンバイモードは、省電力モードよりもさらに少ない電力によって、光源１０及びDMD７０が制御されるモードである。
【００６７】
ここで、モード制御部３４０は、電源がＯＮになったときに、映像入力信号が入力されている場合に、動作モードを通常電力モードに移行する。或いは、モード制御部３４０は、省電力モードにおいて、一定期間内にユーザ操作が検出された場合に、省電力モードを解除して、動作モードを通常電力モードに移行する。或いは、モード制御部３４０は、スタンバイモードにおいて、一定期間内に映像入力信号が入力された場合に、スタンバイモードを解除して、動作モードを通常電力モードに移行する。
【００６８】
なお、ユーザ操作は、投写面上に設定される特定領域において光を遮光する操作であってもよく、筐体２００に設けられた操作部（ボタンなど）の操作であってもよい。
【００６９】
モード制御部３４０は、通常電力モードにおいて、所定条件が満たされた場合に、動作モードを省電力モードに移行する。ここで、所定条件は、（１）一定期間内にユーザ操作が検出されないこと、（２）一定期間内に投写領域に投写される映像が変化しないこと（例えば、ページ送りやページ戻りが一定期間行われないこと）などである。なお、モード制御部３４０は、省電力モードにおいて、一定期間内にユーザ操作が検出されない場合に、電源をＯＦＦにしてもよい。
【００７０】
モード制御部３４０は、電源がＯＮとなったときに、映像入力信号が入力されていない場合に、動作モードをスタンバイモードに移行する。なお、モード制御部３４０は、スタンバイモードにおいて、一定期間内に映像入力信号が入力されない場合に、電源をＯＦＦにしてもよい。
【００７１】
光源制御部３５０は、光源１０を制御する。具体的には、光源制御部３５０は、省電力モードにおいて、通常電力モードと比べて、光源１０に供給すべき電力を減少する。
【００７２】
詳細には、光源制御部３５０は、省電力モードにおいて、光源１０Ｒ、光源１０Ｇ及び光源１０Ｂに供給すべき電力を均等に減少してもよい。或いは、光源制御部３５０は、省電力モードにおいて、消費電力が大きい光源１０に供給すべき電力を優先的に減少してもよい。例えば、光源制御部３５０は、光源１０Ｇ、光源１０Ｂ、光源１０Ｒの順で、光源１０に供給すべき電力を優先的に減少してもよい。
【００７３】
或いは、光源制御部３５０は、省電力モードにおいて、通常電力モードと比べて、１フレーム内において、光源１０が発光する期間を減少してもよい。
【００７４】
例えば、１秒間に６０フレームで映像が表示されるケースについて考える。通常電力モードでは、全６０フレームが映像表示フレームである。一方で、省電力モードにおいて、全６０フレームのうち、半数の３０フレームが映像表示フレームである。省電力モードにおいて、全６０フレームのうち、残りの半数の３０フレームが黒表示フレームである。なお、映像表示フレーム及び黒表示フレームは、交互に表示されることが好ましい。このようなケースにおいて、光源制御部３５０は、黒表示フレームにおいて光源１０を消灯する。
【００７５】
なお、光源制御部３５０は、光源１０が固体光源ではなく、光源１０が白色光源（ＵＨＰランプやキセノンランプ）である場合には、光源１０が発光する期間をフレーム単位で制御することが難しいため、省電力モードにおいて、光源１０に供給すべき電力を減少する。
【００７６】
なお、光源制御部３５０は、スタンバイモードにおいて、スタンバイ映像（ブルーバック）を表示するために、光源１０Ｂのみを主として点灯してもよい。或いは、光源制御部３５０は、スタンバイモードにおいて、光源１０の制御を停止してもよい。すなわち、光源制御部３５０は、スタンバイモードにおいて、光源１０に電力を供給しなくてもよい。
【００７７】
素子制御部３６０は、DMD７０を制御する。具体的には、素子制御部３６０は、複数の微小ミラーのうち、少なくとも１つの微小ミラーに電圧を印加せずに、他の微小ミラーに電圧を印加する。
【００７８】
詳細には、上述したように、DMD７０は、複数の微小ミラーによって構成される。複数の微小ミラーは、電圧の印加に応じて、微小ミラーによって反射される光が投写面に到達するか否かを切り替えるように構成される。すなわち、微小ミラーによって反射される光が投写面に到達させる場合であっても、微小ミラーによって反射される光が投写面に到達させない場合であっても、微小ミラーに電圧が印加される。
【００７９】
第１実施形態では、素子制御部３６０は、省電力モードにおいて、微小ミラーに電圧を印加しないことによって、省電力化が図られる。電圧が印加されない微小ミラーによって反射された光は、投写面に到達するか否か制御されず、投写面上で画素を構成しないことに留意すべきである。
【００８０】
ここで、素子制御部３６０は、電圧が印加されない微小ミラーとして、複数の微小ミラーのうち、投写面に到達させない光を反射する微小ミラー（ＯＦＦの画素と対応する微小ミラー）を選択してもよい。
【００８１】
例えば、素子制御部３６０は、ＯＮの画素と対応する微小ミラーに１２Ｖを印加し、ＯＦＦの画素と対応する微小ミラーに−１２Ｖを印加するように構成される。このようなケースにおいて、素子制御部３６０は、ＯＦＦの画素と対応する微小ミラーに電圧を印加せずに、ＯＮの画素と対応する微小ミラーにのみ１２Ｖを印加する。これによって、コントラストが落ちるが、省電力化を図ることができる。
【００８２】
或いは、素子制御部３６０は、複数の微小ミラーのうち、電圧が印加されない微小ミラーを市松模様（チェッカーパターン）状に選択してもよい。
【００８３】
なお、素子制御部３６０は、スタンバイモードにおいて、スタンバイ映像（ブルーバック）を表示するようにDMD７０を制御してもよい。或いは、素子制御部３６０は、スタンバイモードにおいて、DMD７０の制御を停止してもよい。すなわち、素子制御部３６０は、スタンバイモードにおいて、DMD７０に電力を供給しなくてもよい。
【００８４】
（処理内容の実行例）
以下において、第１実施形態に係る処理内容の実行例について、図面を参照しながら説明する。図７及び図８は、第１実施形態に係る処理内容の実行例を説明するための図である。
【００８５】
第１に、特定領域が投写領域の４隅に設けられるケースについて、図７を参照しながら説明する。図７に示すように、投写領域の４隅に設けられた４つの特定領域には、それぞれ、互いに異なる処理内容が対応付けられている。
【００８６】
第２に、特定領域が投写領域の４辺に設けられるケースについて、図８を参照しながら説明する。図８に示すように、投写領域の４辺に設けられた４つの特定領域には、それぞれ、互いに異なる処理内容が対応付けられている。
【００８７】
（省電力モードの解除）
以下において、第１実施形態に係る省電力モードの解除例について、図面を参照しながら説明する。図９及び図１０は、第１実施形態に係る省電力モードの解除例を示す図である。
【００８８】
第１に、図９に示すように、投写型映像表示装置１００が床面に投写するように配置されている場合には、省電力モードにおいて、床面に設定された特定領域において光を遮光する物体が検出された場合に、省電力モードが解除される。
【００８９】
第２に、図１０に示すように、投写型映像表示装置１００が壁面に投写するように配置されている場合には、省電力モードにおいて、壁面に設定された特定領域において光を遮光する物体が検出された場合に、省電力モードが解除される。
【００９０】
（投写型映像表示装置の動作）
以下において、第１実施形態に係る投写型映像表示装置（制御ユニット）の動作について、図面を参照しながら説明する。図１１は、第１実施形態に係る投写型映像表示装置１００（制御ユニット３００）の動作を示すフロー図である。
【００９１】
図１１に示すように、ステップ１０において、投写型映像表示装置１００は、電源がＯＮとなったことを検出する。
【００９２】
ステップ１１において、投写型映像表示装置１００は、映像入力信号が入力されているか否かを判定する。映像入力信号が入力されている場合に、投写型映像表示装置１００は、ステップ１４の処理に移る。一方で、映像入力信号が入力されていない場合に、投写型映像表示装置１００は、ステップ１２の処理に移る。
【００９３】
ステップ１２において、投写型映像表示装置１００は、動作モードをスタンバイモードに移行する。
【００９４】
ステップ１３において、投写型映像表示装置１００は、一定期間内に映像入力信号が入力されたか否かを判定する。一定期間内に映像入力信号が入力された場合に、投写型映像表示装置１００は、ステップ１４の処理に移る。一方で、一定期間内に映像入力信号が入力されない場合に、投写型映像表示装置１００は、ステップ１８の処理に移る。
【００９５】
ステップ１４において、投写型映像表示装置１００は、動作モードを通常電力モードに移行する。
【００９６】
ステップ１５において、投写型映像表示装置１００は、所定条件が満たされているか否かを判定する。所定条件が満たされている場合には、投写型映像表示装置１００は、ステップ１６の処理に移る。所定条件が満たされていない場合には、投写型映像表示装置１００は、ステップ１４の処理に戻る。すなわち、通常電力モードが維持される。
【００９７】
なお、所定条件は、上述したように、（１）一定期間内にユーザ操作が検出されないこと、（２）一定期間内に投写領域に投写される映像が変化しないこと（例えば、ページ送りやページ戻りが一定期間行われないこと）などである。
【００９８】
ステップ１６において、投写型映像表示装置１００は、動作モードを省電力モードに移行する。
【００９９】
ステップ１７において、投写型映像表示装置１００は、一定期間内にユーザ操作が検出されたか否かを判定する。一定期間内にユーザ操作が検出された場合に、投写型映像表示装置１００は、ステップ１４の処理に戻る。すなわち、省電力モードが解除される。一方で、一定期間内にユーザ操作が検出されない場合に、投写型映像表示装置１００は、ステップ１８の処理に移る。
【０１００】
ステップ１８において、投写型映像表示装置１００は、電源をＯＦＦにする。
【０１０１】
（作用及び効果）
第１実施形態では、投写面上に設定された特定領域において光を遮光する物体が検出された場合に、モード制御部３４０は、省電力モードを解除して、動作モードを通常電力モードに移行する。
【０１０２】
従って、普段は操作されない操作部（ボタンなど）によって省電力モードを解除する必要がなく、直感的に省電力モードを解除することができる。すなわち、省電力モードを簡易に解除することができる。
【０１０３】
［変更例１］
以下において、第１実施形態の変更例１について、図面を参照しながら説明する。以下においては、第１実施形態との相違点について主として説明する。
【０１０４】
変更例１では、投写型映像表示装置１００は、光源１０から出射される光以外の外光の光量に基づいて、光源１０に供給すべき電力を制御する。
【０１０５】
（制御ユニットの構成）
以下において、変更例１に係る制御ユニットについて、図面を参照しながら説明する。図１２は、変更例１に係る制御ユニット３００を示すブロック図である。なお、図１２では、図６と同様の構成について、同様の符号を付していることに留意すべきである。
【０１０６】
図１２に示すように、制御ユニット３００は、図６に示す構成に加えて、外光検出部３７０を有する。
【０１０７】
外光検出部３７０は、光源１０から出射される光以外の外光の光量を検出する。例えば、外光検出部３７０は、コントラストに基づいて、外光の光量を検出する。すなわち、外光の光量が大きい場合に、コントラストが小さくなり、外光の光量が小さい場合に、コントラストが大きくなる。従って、外光検出部３７０は、コントラストに基づいて、外光の光量を検出することができる。
【０１０８】
具体的には、外光検出部３７０は、例えば、投写領域における明るさの変化を検出可能に構成された撮像素子を有する。或いは、外光検出部３７０は、例えば、投写領域における明るさの変換を検出可能に構成された照度センサを有する。
【０１０９】
第１に、外光検出部３７０が撮像素子又は照度センサを有する場合には、図１３に示すように、光源制御部３５０及び素子制御部３６０は、全白のフレーム及び全黒のフレームが表示されるように光源１０及びDMD７０を制御する。外光検出部３７０は、全白フレームの明るさと全黒フレームの明るさとの差分に基づいて、コントラストを検出する。すなわち、外光検出部３７０は、コントラストによって、外光の光量を検出する。
【０１１０】
第２に、外光検出部３７０が撮像素子を有する場合には、図１４に示すように、光源制御部３５０及び素子制御部３６０は、黒領域及び白領域を有するフレームが表示されるように光源１０及びDMD７０を制御する。外光検出部３７０は、黒領域の明るさ及び白領域の明るさに基づいて、コントラストを検出する。すなわち、外光検出部３７０は、コントラストによって、外光の光量を検出する。
【０１１１】
第３に、外光検出部３７０が撮像素子を有する場合には、図１５に示すように、光源制御部３５０及び素子制御部３６０は、黒領域及び白領域が市松模様（チェッカーパターン）状に配置されたフレームが表示されるように光源１０及びDMD７０を制御する。外光検出部３７０は、黒領域の明るさ及び白領域の明るさに基づいて、コントラストを検出する。すなわち、外光検出部３７０は、コントラストによって、外光の光量を検出する。
【０１１２】
なお、上述した光源制御部３５０は、外光検出部３７０によって検出された外光の光量に基づいて、光源１０に供給すべき電力を制御する。例えば、光源制御部３５０は、外光の光量が大きい場合に、光源１０に供給すべき電力を増大する。一方で、光源制御部３５０は、外光の光量が小さい場合に、光源１０に供給すべき電力を減少する。
【０１１３】
詳細には、光源制御部３５０は、外光検出部３７０によって検出された外光の光量に基づいて、通常電力モードに適用される光源１０の最大光量を制御する。例えば、光源制御部３５０は、外光の光量が大きい場合に、通常電力モードに適用される光源１０の最大光量を増大する。一方で、光源制御部３５０は、外光の光量が小さい場合に、通常電力モードに適用される光源１０の最大光量を減少する。
【０１１４】
（作用及び効果）
変更例１では、光源制御部３５０は、外光検出部３７０によって検出された外光の光量に基づいて、光源１０に供給すべき電力を制御する。従って、投写型映像表示装置１００の周囲の明るさに応じて、適切な電力で光源１０を制御することができる。これによって、必要に応じて、省電力化を図ることができる。
【０１１５】
［変更例２］
以下において、第１実施形態の変更例２について、図面を参照しながら説明する。以下においては、変更例１との相違点について主として説明する。
【０１１６】
具体的には、変更例１では、投写型映像表示装置１００は、光源１０から出射される光以外の外光の光量に基づいて、光源１０に供給すべき電力（すなわち、全体の輝度）を制御する。これに対して、変更例２では、投写型映像表示装置１００は、光源１０から出射される光以外の外光の光量に基づいて、投写面に投写される映像の彩度或いは輝度を強調する。
【０１１７】
具体的には、投写型映像表示装置１００は、外光の光量が大きいほど、彩度或いは輝度の強調量を大きくする。一方で、投写型映像表示装置１００は、外光の光量が小さいほど、彩度或いは輝度の強調量を小さくする。
【０１１８】
例えば、投写型映像表示装置１００は、図１６に示すように、彩度を強調する。なお、図１６において、横軸は、彩度（入力）であり、縦軸は、彩度（出力）である。また、点線は、強調前の入出力関係を示しており、実線は、強調後の入出力関係を示している。
【０１１９】
このように、投写型映像表示装置１００は、彩度（入力）の全体に亘って彩度（出力）が大きくなるように彩度を強調する。特に、投写型映像表示装置１００は、低彩度（入力）及び中彩度（入力）において、高彩度（入力）よりも彩度を強調することに留意すべきである。
【０１２０】
なお、彩度の強調量は、上述したように、外光の光量に応じて定められる。
【０１２１】
或いは、投写型映像表示装置１００は、図１７に示すように、輝度を強調する。なお、図１７において、横軸は、輝度（入力）であり、縦軸は、輝度（出力）である。また、点線は、強調前の入出力関係を示しており、実線は、強調後の入出力関係を示している。
【０１２２】
このように、投写型映像表示装置１００は、低輝度（入力）と高輝度（入力）との間において輝度（出力）の差異が大きくなるように輝度を強調する。例えば、図１８に示すように、輝度（入力）の分布が複数のピークを有する場合には、投写型映像表示装置１００は、輝度（入力）の分布に含まれる複数のピークのそれぞれが高輝度側又は低輝度側にシフトして、輝度（出力）が二極化するように輝度を調整する。或いは、図１９に示すように、輝度（入力）の分布が中輝度に偏っている場合には、投写型映像表示装置１００は、輝度（出力）が全体的に輝度（入力）よりも高輝度側にシフトするように輝度を調整する。或いは、図２０に示すように、輝度（入力）の分布が低輝度に偏っている場合には、投写型映像表示装置１００は、低輝度及び高輝度において、輝度（出力）が二極化するように輝度を調整する。
【０１２３】
なお、輝度の強調量は、上述したように、外光の光量に応じて定められる。また、外光の光量を検出する検出部が色毎に外光の光量を検出できる場合には、投写型映像表示装置１００は、輝度の強調を色毎に行ってもよい。
【０１２４】
変更例２において、彩度の強調又は輝度の強調は、素子制御部３６０による信号処理で実現されてもよく、光源制御部３５０による光源制御によって行われてもよい。
【０１２５】
（作用及び効果）
変更例２では、投写型映像表示装置１００は、外光の光量に応じて、彩度或いは輝度を強調する。これによって、外光によって生じる映像視認性の低下（白浮きなど）を抑制することができる。
【０１２６】
言い換えると、投写型映像表示装置１００の周囲が明るい環境下において、光源１０の最大光量を増大しなくても、映像視認性が失われることを抑制することができる。
【０１２７】
また、外光の光量が大きい状況（明るい状態）において、変更例１に示すように、光源１０の最大光量を減少しても、映像視認性が失われることを抑制することができる。言い換えると、ある程度の映像視認性を維持しながら、省電力化を図ることができる。
【０１２８】
［変更例３］
以下において、第１実施形態の変更例３について、図面を参照しながら説明する。以下においては、変更例１との相違点について主として説明する。
【０１２９】
具体的には、変更例１では、投写型映像表示装置１００は、光源１０から出射される光以外の外光の光量に基づいて、光源１０に供給すべき電力（すなわち、全体の輝度）を制御する。これに対して、変更例３では、投写型映像表示装置１００は、投写面で反射される光に基づいて、色味或いは光量を調整する（いわゆる“壁色補正”）。
【０１３０】
具体的には、投写型映像表示装置１００は、投写面で反射される光を検出する反射光検出部を有する。反射光検出部は、例えば、投写面を撮像する撮像素子である。また、反射光検出部は、筐体２００の上端に設けられることが好ましい。
【０１３１】
ここで、投写型映像表示装置１００は、テストパターン画像を投写面に投写して、投写面で反射される光を検出する。投写面で反射される光は、投写面の色及び外光などの影響を受けることに留意すべきである。
【０１３２】
投写型映像表示装置１００は、投写面で反射される光に基づいて、投写面に投写される映像の色味或いは光量を最適化する。最適化の方法は既知の方法を用いることが可能であるため、その説明については省略する。
【０１３３】
例えば、反射光検出部がモノクロ検出を行うことが可能である場合には、投写型映像表示装置１００は、図２１に示すように、複数の領域（領域＃１−１〜領域＃１−４、領域＃２−１〜領域＃２−４）毎に輝度が異なる画像をテストパターン画像として表示する。
【０１３４】
詳細には、図２１に示すテストパターン画像において、領域＃１−１〜領域＃１−４に向けて各領域の画像の輝度が増大するような画像が表示される。同様に、領域＃２−１〜領域＃２−４に向けて各領域の画像の輝度が増大するような画像が表示される。なお、領域＃２−１の画像の輝度は、領域１−４の画像の輝度よりも高い。
【０１３５】
或いは、反射光検出部がカラー検出を行うことが可能である場合には、投写型映像表示装置１００は、図２２に示すように、複数の領域（領域＃１−１〜領域＃１−８、領域＃２−１〜領域＃２−８、領域＃３−１〜領域＃３−８、）毎に輝度が異なる画像をテストパターン画像として表示する。
【０１３６】
詳細には、図２２に示すテストパターン画像において、領域＃１−１〜領域＃１−８には、青系統の画像が表示される。例えば、領域＃１−１〜領域＃１−８に向けて各領域の青の輝度が減少するような画像が表示される。また、領域＃２−１〜領域＃２−８には、緑系統の画像が表示される。例えば、領域＃２−１〜領域＃２−８に向けて各領域の緑の輝度が増大するような画像が表示される。さらに、領域＃３−１〜領域＃３−８には、赤系統の画像が表示される。例えば、領域＃３−１〜領域＃３−８に向けて各領域の赤の輝度が減少するような画像が表示される。
【０１３７】
ここで、画角が大きい領域では、画角が小さい領域よりも、検出部によって検出される投写面で反射される光が小さい（暗い）。従って、領域♯１（例えば、青系統）及び領域＃３（例えば、赤系統）の行において輝度が増大する並び順は、領域＃２（例えば、緑系統）の行において輝度が増大する並び順と反対であることが好ましい。すなわち、画角が大きい領域（例えば、領域＃１−１、領域＃２−８、領域＃３−１）において、輝度が大きい領域が含まれる。これによって、輝度が大きい領域が互い違いに配置されるため、投写面で反射される光を適切に検出することができる。
【０１３８】
変更例３において、色味の最適化又は光量の最適化は、素子制御部３６０による信号処理で実現されてもよく、光源制御部３５０による光源制御によって行われてもよい。
【０１３９】
（作用及び効果）
変更例３では、投写型映像表示装置１００は、投写面で反射される光に基づいて、投写面に投写される映像の色味或いは光量を最適化する。これによって、投写面の色や外光によって生じる映像視認性の低下（色味のアンバランスや白浮きなど）を抑制することができる。
【０１４０】
言い換えると、光量が必要とされない環境（例えば、投写面が白く、投写型映像表示装置１００の周囲が暗い環境）下において、映像視認性が失われることを抑制しながら、光源１０の最大光量を減少することができる。
【０１４１】
また、外光の光量が大きい状況（明るい状態）において、変更例１に示すように、光源１０の最大光量を減少しても、映像視認性が失われることを抑制することができる。言い換えると、ある程度の映像視認性を維持しながら、省電力化を図ることができる。
【０１４２】
［変更例４］
以下において、第１実施形態の変更例４について、図面を参照しながら説明する。以下においては、第１実施形態との相違点について主として説明する。
【０１４３】
具体的には、変更例４では、投写型映像表示装置１００は、投写面に投写される映像のサイズ（以下、投写サイズ）を検出するサイズ検出部を有する。サイズ検出部は、例えば、投写面を撮像する撮像素子である。サイズ検出部は、筐体２００の上端に設けられることが好ましい。
【０１４４】
ここで、投写型映像表示装置１００は、投写サイズに基づいて、光源１０に供給すべき電力を制御する。具体的には、投写型映像表示装置１００は、投写サイズが大きい場合に、光源１０に供給すべき電力を増大する。一方で、投写型映像表示装置１００は、投写サイズが小さい場合に、光源１０に供給すべき電力を減少する。
【０１４５】
詳細には、投写型映像表示装置１００は、投写サイズに基づいて、通常電力モードに適用される光源１０の最大光量を制御する。例えば、投写型映像表示装置１００は、投写サイズが大きい場合に、通常電力モードに適用される光源１０の最大光量を増大する。一方で、投写型映像表示装置１００は、投写サイズが小さい場合に、通常電力モードに適用される光源１０の最大光量を減少する。
【０１４６】
なお、光源１０の最大光量は、変更例１と同様に、光源制御部３５０によって行われることは勿論である。
【０１４７】
（作用及び効果）
変更例４では、投写型映像表示装置１００は、投写サイズに基づいて、光源１０に供給すべき電力を制御する。従って、投写サイズに必要な光量に応じて、適切な電力で光源１０を制御することができる。これによって、必要に応じて、省電力化を図ることができる。
【０１４８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１４９】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよい。
【０１５０】
実施形態では、主として、複数種類の処理内容を実行可能なケースについて例示したに過ぎない。具体的には、１種類の処理内容のみが実行可能であってもよい。
【０１５１】
実施形態では、特定領域と処理内容とが対応付けられており、インタラクティブ操作を実現するケースについて例示した。しかしながら、実施形態は、これに限定されるものではない。すなわち、特定領域は、省電力モードの解除にのみ用いられてもよい。このようなケースでは、特定領域は、投写領域の全域であってもよく、投写領域よりも広い領域であってもよい。
【０１５２】
実施形態では、検出部３２０及び外光検出部３７０が別々の構成であるケースについて例示した。しかしながら、実施形態は、これに限定されるものではない。具体的には、外光検出部３７０に設けられる撮像素子又は照度センサとして、検出部３２０を用いてもよい。
【０１５３】
実施形態では、検出部３２０が撮像素子又は照度センサであるケースについて例示した。しかしながら、実施形態は、これに限定されるものではない。例えば、特定領域に赤外光が照射されている場合には、検出部３２０は、赤外線センサであってもよい。
【符号の説明】
【０１５４】
１０…光源、３０…ダイクロイックプリズム、４０…ロッドインテグレータ、５１〜５２…ミラー、６１〜６３…レンズ、７０…DMD、８０…反射プリズム、１００…投写型映像表示装置、１１０…投写光学系、１１１…投写レンズ群、１１２…反射ミラー、１２０…照明光学系、１３０…冷却ファン、１４０…バッテリ、１５０…電源基板、１６０…主制御基板、１７０…操作基板、２００…筐体、２００Ａ…第１筐体、２００Ｂ…第２筐体、２１０…透過領域、３００…制御ユニット、３１０…記憶部、３２０…検出部、３３０…指示部、３４０…モード制御部、３５０…光源制御部、３６０…素子制御部、３７０…外光検出部
【図１】
2011197645.tif 000003
【図２】
2011197645.tif 000004
【図３】
2011197645.tif 000005
【図４】
2011197645.tif 000006
【図５】
2011197645.tif 000007
【図６】
2011197645.tif 000008
【図７】
2011197645.tif 000009
【図８】
2011197645.tif 000010
【図９】
2011197645.tif 000011
【図１０】
2011197645.tif 000012
【図１１】
2011197645.tif 000013
【図１２】
2011197645.tif 000014
【図１３】
2011197645.tif 000015
【図１４】
2011197645.tif 000016
【図１５】
2011197645.tif 000017
【図１６】
2011197645.tif 000018
【図１７】
2011197645.tif 000019
【図１８】
2011197645.tif 000020
【図１９】
2011197645.tif 000021
【図２０】
2011197645.tif 000022
【図２１】
2011197645.tif 000023
【図２２】
2011197645.tif 000024